(57)【要約】自動車のダッシュボードにおいて、一面に開口部を有し、携帯用端末機が配置される空間部と、該空間部の内部に設けられ、前記端末機の振動を防止するために端末機を支持する支持部と、を備えている、携帯用端末機収納構造を有するダッシュボードを提供する。さらに、上記開口部を開閉する蓋部を備えている、携帯用端末機収納構造を有するダッシュボードを提供する。【選択図】図１
2010522119.tif 000002
【特許請求の範囲】
【請求項１】
自動車のダッシュボードにおいて、
一面に開口部２１を有し、携帯用端末機５０が配置される空間部２０と、
前記空間部２０の内部に設けられ、前記端末機５０の振動を防止するために端末機５０を支持する支持部３０と、
を備えている、携帯用端末機収納構造を有するダッシュボード。
【請求項２】
前記支持部は、端末機５０の前面及び両側側面を支持する第１、第２側面支持部３１、３２を備え、
携帯用端末機の下端及び前記第１、第２側面支持部３１、３２が取り付けられる部分を含む前記空間部２０の底板２０’は、後方へスライド移動するように構成されていて、前記携帯用端末機の背面は、前記ダッシュボード又は前記空間部２０の壁部により支えられている、請求項１に記載の携帯用端末機収納構造を有するダッシュボード。
【請求項３】
前記支持部は、端末機５０の前面及び両側側面を支持する第１、第２側面支持部３１、３２と、端末機５０の背面を支持する背面支持部３３と、を備え、
携帯用端末機の下端及び前記第１、第２側面支持部３１、３２が取り付けられる部分を含む前記空間部２０の底板２０’は、後方へスライド移動するように構成されていて、前記携帯用端末機の背面は、背面支持部３３により支えられている、請求項１に記載の携帯用端末機収納構造を有するダッシュボード。
【請求項４】
自動車のダッシュボードにおいて、
一面に開口部２１を有し、携帯用端末機５０が配置される空間部２０と、
前記空間部２０の内部に設けられ、前記端末機５０の振動を防止するために該端末機５０を支持する支持部３０と、
前記開口部２１を開閉する蓋部４０と、
を備えている、携帯用端末機収納構造を有するダッシュボード。
【請求項５】
前記支持部は、前記端末機５０の前面及び両側側面を支持する第１、第２側面支持部３１、３２を備えている、請求項４に記載の携帯用端末機収納構造を有するダッシュボード。
【請求項６】
前記支持部は、前記端末機５０の背面を支持する背面支持部３３をさらに備えている、請求項５に記載の携帯用端末機収納構造を有するダッシュボード。
【請求項７】
携帯用端末機の下端及び前記第１、第２側面支持部３１、３２が取り付けられる部分を含む前記空間部２０の底板２０’は、後方へスライド移動するように構成されていて、前記携帯用端末機の背面は、前記ダッシュボード又は前記空間部２０の壁部により支えられている、請求項５に記載の携帯用端末機収納構造を有するダッシュボード。
【請求項８】
携帯用端末機の下端及び前記第１、第２側面支持部３１、３２が取り付けられる部分を含む前記空間部２０の底板２０’は、後方へスライド移動するように構成されていて、前記携帯用端末機の背面は、背面支持部３３により支えられている、請求項６に記載の携帯用端末機収納構造を有するダッシュボード。
【請求項９】
前記側面支持部３１、３２の端末機を支持する部分は、上下移動可能である請求項５又は６に記載の携帯用端末機収納構造を有するダッシュボード。
【請求項１０】
前記空間部２０の両側面に形成されるスライドバー２７と、
前記スライドバー２７が挿入されるガイド溝２７ａが両側面に形成され、上側面に歯状の回転溝２８ａが形成されるベースプレート２８と、
前記回転溝２８ａに対応して結合する回転部２９ａが底面から下方に突出形成され、携帯用端末機の下端が取り付けられる回転プレート２９と、
をさらに備えている、請求項４ないし６の何れか一つに記載の携帯用端末機収納構造を有するダッシュボード。
【請求項１１】
前記第１、第２側面支持部３１、３２は、前記携帯用端末機５０が取り付けられる底面に形成された横方向ガイド溝３４に沿って、端末機の幅方向に左右移動可能に構成されている請求項５又は６に記載の携帯用端末機収納構造を有するダッシュボード。
【請求項１２】
前記横方向ガイド溝３４には、上部に屈曲面を有する横方向ガイドレール３６が嵌め込まれている、請求項１１に記載の携帯用端末機収納構造を有するダッシュボード。
【請求項１３】
前記背面支持部３３は、前記携帯用端末機が取り付けられる底面に形成された縦方向ガイド溝３５に沿って、端末機の厚さ方向に前後移動可能に構成されている、請求項６に記載の携帯用端末機収納構造を有するダッシュボード。
【請求項１４】
前記縦方向ガイド溝３５には、上部に屈曲面を有する縦方向ガイドレール３７が嵌め込まれている、請求項１３に記載の携帯用端末機収納構造を有するダッシュボード。
【請求項１５】
前記背面支持部３３は、その中間部がヒンジによって連結され、使用しないときには折り曲げて保管可能である、請求項６又は１３に記載の携帯用端末機収納構造を有するダッシュボード。
【請求項１６】
前記第１、第２側面支持部３１、３２の外側面に水平ガイド溝３５’及び屈曲面が形成された水平ガイドレール３７’が設けられていて、各側面支持部３１、３２に対して端末機の幅方向に調節可能となるように、前記水平ガイド溝３５’に背面支持部３３’が一体に組み合わされる、請求項５又は６に記載の携帯用端末機収納構造を有するダッシュボード。
【請求項１７】
前記空間部２０には、前記端末機５０の電源供給用ジャック５１を結合するための接続端子２２が設けられている、請求項４ないし６の何れか一つに記載の携帯用端末機収納構造を有するダッシュボード。
【請求項１８】
前記空間部２０には、前記端末機５０の配線を整理するための配線収容溝２３が設けられている、請求項４ないし６の何れか一つに記載の携帯用端末機収納構造を有するダッシュボード。
【請求項１９】
前記蓋部４０は、前記空間部２０の一側から向かい側の他側にスライド移動して、開口部２１を開閉可能なスライドドア式のものである、請求項４ないし６の何れか一つに記載の携帯用端末機収納構造を有するダッシュボード。
【請求項２０】
前記蓋部４０は、一定の間隔で複数のボードがヒンジによって連結されている、請求項１９に記載の携帯用端末機収納構造を有するダッシュボード。
【発明の詳細な説明】
【技術分野】
【０００１】
本発明は、自動車のダッシュボードに関するものであって、特にナビゲーション、動画再生、音楽再生などの機能を有している携帯用端末機を装着するための収納構造を有する自動車のダッシュボードに関する。
【背景技術】
【０００２】
一般に、自動車には、その現在位置や移動速度などを確認したり、移動経路を決定したりするためのＧＰＳ(Global Positioning System)測位装置を用い、全世界測位システムに属する複数個の人工衛星から電波を受信し、緯度、経度、高度などを通じて自動車の位置を演算するナビゲーション装置が装着されている。上述のような操作が行われた後、現在位置が含まれた地図データが運転者に対して
1253784692487_0
画面上に表示される。使用者の現在位置と速度、目標地点までの経路確認など、その利便性により、ますます前記ナビゲーションシステムの使用者が増加している。
【発明の概要】
【発明が解決しようとする課題】
【０００３】
ナビゲーションがダッシュボードに装着された自動車が工場から出荷される場合があるが、このようにナビゲーションが搭載された状態で出荷される自動車は一部の高級車種だけであって、費用が高くなるため、通常、一般車種には、高価なナビゲーション装置は搭載されていない。また、内部搭載型ナビゲーションの場合、様々なナビゲーションを選択することができない不都合があった。さらに、新車両への交換時、既存のナビゲーションを取り外して、新車両に再設置することができない。よって、既に保存されていた情報を使用できず、ナビゲーションも再購買しなければならない負担が生じると共に、新しいナビゲーションに関する使用方法を改めて学習しなければならないなどの不便さがあった。
【０００４】
したがって、一般運転者は、廉価な車両用ナビゲーション、動画再生及び音楽再生などマルチメディア機能を持った携帯用端末機を別途購入し、自動車内に取り付けて使用する場合が多い。ナビゲーションを搭載せずに出荷された自動車は、通常、自動車内部にナビゲーションを設けるための空間を特に備えていないため、その設置が簡単ではない。また、設置されたナビゲーションは、車窓を通じて外部から見えやすいので盗難の虞がある。こうした盗難を防止するために頻繁な離脱動作を繰り返すことにより、携帯用端末機の付着力が劣化する問題があった。
【０００５】
また、多くの電気配線が接続される携帯用端末機がダッシュボードに取り付けられている場合や、前記端末機を使用せずにナビゲーションを支持するためのホルダー構造物だけが残る場合、上記電気配線や残ったホルダー構造物により外観が損なわれる、という問題があった。
【０００６】
特に、ナビゲーションを車両の前面ガラスに装着するために最近多く用いられている真空吸着方式のものはダッシュボードに収納できないので、ナビゲーション及びナビゲーションホルダーが運転者の視野を妨げるようになるばかりでなく、冬場のように気温が低下する時期にはその接着力が著しく低下する問題があった。
【０００７】
本発明の目的は、従来の自動車のダッシュボードに起こりうる前記問題を解決する携帯用端末機の収納構造を有するダッシュボードを提供することにある。
【０００８】
本発明のもう１つの目的は、携帯用端末機を搭載するための空間部と、前記端末機の振動を防止するための該端末機を支持する支持部と、を有する携帯用端末機の収納構造を備えた自動車のダッシュボードを提供することにある。
【課題を解決するための手段】
【０００９】
前記目的を達成するため、自動車のダッシュボードにおいて、一面に開口部を有し、携帯用端末機が配置される空間部と、該空間部の内部に設けられ、前記端末機の振動を防止するために端末機を支持する支持部と、を備えている、携帯用端末機収納構造を有するダッシュボードを提供する。
【００１０】
本発明の一側面によれば、前記支持部は、端末機の前面及び両側側面を支持する第１、第２側面支持部を備え、携帯用端末機の下端及び前記第１、第２側面支持部が取り付けられる部分を含む前記空間部の底板は、後方へスライド移動するように構成されていて、前記携帯用端末機の背面は、前記ダッシュボード又は前記空間部の壁部により支えられている。
【００１１】
本発明の一側面によれば、前記支持部は、端末機の前面及び両側側面を支持する第１、第２側面支持部と、端末機の背面を支持する背面支持部と、を備え、携帯用端末機の下端及び前記第１、第２側面支持部が取り付けられる部分を含む前記空間部の底板は、後方へスライド移動するように構成されていて、前記携帯用端末機の背面は、背面支持部により支えられている。
【００１２】
前記目的を達成するために、自動車のダッシュボードにおいて、一面に開口部を有し、携帯用端末機が配置される空間部と、前記空間部の内部に設けられ、前記端末機の振動を防止するために端末機を支持する支持部と、前記開口部を開閉する蓋部と、を備えている、携帯用端末機収納構造を有するダッシュボードを提供する。
【００１３】
本発明の一側面によれば、前記支持部は、前記端末機の前面及び両側側面を支持する第１、第２側面支持部を備えている。
【００１４】
本発明の一側面によれば、前記支持部は、背面を支持する背面支持部をさらに備えている。
【００１５】
本発明の一側面によれば、携帯用端末機の下端及び前記第１、第２側面支持部が取り付けられる部分を含む前記空間部の底板は、後方へスライド移動するように構成されていて、前記携帯用端末機の背面は、前記ダッシュボード又は前記空間部の壁部により支えられている。
【００１６】
本発明の一側面によれば、携帯用端末機の下端及び前記第１、第２側面支持部が取り付けられる部分を含む前記空間部の底板は、後方にスライド移動するように構成されていて、前記携帯用端末機の背面は、背面支持部により支えられている。
【００１７】
本発明の一側面によれば、前記側面支持部の端末機支持部分は、上下移動可能である。
【００１８】
本発明の一側面によれば、前記空間部の両側面に形成されるスライドバーと、前記スライドバーが挿入されるガイド溝が両側面に形成され、上側面に歯状の回転溝が形成されるベースプレートと、前記回転溝に対応して結合する回転部が底面から下方に突出形成され、携帯用端末機の下端が取り付けられる回転プレートと、をさらに備えている。
【００１９】
本発明の一側面によれば、前記第１、第２側面支持部は、前記携帯用端末機が取り付けられる底面に形成された横方向ガイド溝に沿って、端末機の幅方向に左右移動可能に構成されている。
【００２０】
本発明の一側面によれば、前記横方向ガイド溝には、上部に屈曲面を有する横方向ガイドレールが嵌め込まれている。
【００２１】
本発明の一側面によれば、前記背面支持部は、前記携帯用端末機が取り付けられる底面に形成された縦方向ガイド溝に沿って端末機の厚み方向に前後移動可能に構成されている。
【００２２】
本発明の一側面によれば、前記縦方向ガイド溝には、上部に屈曲面を有する縦方向ガイドレールが嵌め込まれている。
【００２３】
本発明の一側面によれば、前記背面支持部は、その中間部がヒンジによって連結され、使用しない時には折り曲げて保管可能である。
【００２４】
本発明の一側面によれば、前記第１、第２側面支持部の外側面に水平ガイド溝及び屈曲面が形成された水平ガイドレールが設けられていて、各側面支持部に対して端末機の幅方向に調節可能となるように前記水平ガイド溝に背面支持部が一体に組み合わされることを特徴とする。
【００２５】
本発明の一側面によれば、前記空間部には、前記端末機の電源供給用ジャックを結合するための接続端子が設けられている。
【００２６】
本発明の一側面によれば、前記空間部には、前記端末機の配線を整理するための収容溝が設けられている。
【００２７】
本発明の一側面によれば、前記蓋部は、前記空間部の一側から向かい側の他側にスライド移動して、開口部を開閉可能なスライドドア式のものである。
【００２８】
本発明の一側面によれば、前記蓋部は、一定の間隔で複数のボードがヒンジによって連結されている。
【発明の効果】
【００２９】
前述したように、本発明の携帯用端末機収納構造を有するダッシュボードによれば、車両用ナビゲーション、動画再生、音楽再生などの機能を備えた携帯用端末機を、車両のダッシュボードに簡便に装着、離離させることができ、且つ、蓋部を備えた実施例により、端末機を使用しない時には蓋部を閉めることによって、外観を美麗に整理することができると共に、端末機の盗難を事前に防止することができる。
【図面の簡単な説明】
【００３０】
【図１】図１は、本発明の一実施例として、携帯用端末機を前面に装着するためのダッシュボードを示す斜視図である。
【図２】図２は、図１のダッシュボードに携帯用端末機が装着される前の状態を表す図である。
【図３】図３は、図１のダッシュボード内で携帯用端末機を使用した後の状態を表す図である。
【図４】図４は、図１のダッシュボードの空間部の概略図である。
【図５】図５は、図１のダッシュボードの空間部の他の一例を示す概略図である。
【図６】図６は、本発明の他の一実施例として、携帯用端末機がダッシュボードに密着するように装着された態様を示す図である。
【図７】図７は、本発明の他の一実施例として、ダッシュボードの空間部からベースプレートが前方にスライド移動した態様を示す図である。
【図８】図８は、図７のベースプレートに対して回転プレートが回転する態様を示す図である。
【図９】図９は、本発明の他の一実施例として、携帯用端末機が上部に装着されるように構成されたダッシュボードを示す斜視図である。
【図１０】図１０は、図９のダッシュボードに携帯用端末機が装着される前の状態を示す図である。
【図１１】図１１は、図９のダッシュボードに携帯用端末機を横にして保管した態様を示す図である。
【図１２】図１２は、図９のダッシュボード内で携帯用端末機を使用した後の状態を示す図である。
【発明を実施するための形態】
【００３１】
以下では、添付図面の望ましい実施例を挙げて本発明を詳しく説明する。図１は、本発明の一実施例として携帯用端末機を前面に装着するためのダッシュボードを示した斜視図であり、図２は、図１のダッシュボードに携帯用端末機が装着される前の図であり、図３は、図１のダッシュボード内で携帯用端末機を使用した後の状態を表す図であり、図４は、図１のダッシュボードの空間部の概略図である。
【００３２】
本発明の一実施例による携帯用端末機収納構造を有するダッシュボード１０ａは、自動車のダッシュボードにおいて、端末機５０が取り付けられ、一面に開口部２１が形成された空間部２０と、該空間部２０の内部に形成され、前記端末機５０を支持する支持部３０とを包含する。
【００３３】
また、前記ダッシュボード１０ａは、前記空間部２０の開口部２１を開閉する蓋部４０をさらに包含することが望ましい。
【００３４】
前記開口部２１は、前記空間部２０の前面に形成され、この空間部２０に携帯用端末機５０が位置する。望ましくは、この空間部２０の底面に携帯用端末機５０の下端が搭載される。
【００３５】
前記空間部２０の一面には、端末機５０の電源供給用ジャック５１が結合するための接続端子２２と、端末機５０の電源コード５２などの配線を片付けるための配線収容溝２３とが設けられている。これにより、配線がこの配線収容溝２３に収まって外からは見えないようになる。ここで、この接続端子２２及び配線収容溝２３は、取り付けられる携帯用端末機５０の裏側、即ち空間部２０の後面に形成されるのが望ましい。
【００３６】
前記空間部２０の底面に携帯用端末機５０を搭載した状態で車両を走行させると、道路の凸凹状態、車両の回転、加速及び減速などにより端末機５０が振動したり倒れたりして、故障または破損を招く危険性を抱えている。
【００３７】
このような車両走行中における端末機５０の振動や転倒がないように、端末機５０を支持する必要が生じる。‘Ｌ’字形状の折曲片の第１側面支持部３１と、第２側面支持部３２と、を端末機５０の前面下部の両側に設け、端末機５０の前面と側面とを支持することができる。片材形状の背面支持部３３を端末機５０の後方に設け、端末機５０の背面を支持できるように構成する。図には示されていないが、空間部２０を形成する壁部を端末機５０の背面を支持するように構成することによって、背面支持部３３を形成することも可能である。
【００３８】
前記第１、第２側面支持部３１、３２及び背面支持部３３として、木、合成樹脂、アルミニウム又はステンレススチールなどの金属材を用いることができるが、合成樹脂材質を使用するのが好ましい。
【００３９】
携帯用端末機５０の種類によってその幅と厚みは様々であるので、使用したい端末機５０の幅と厚みに応じて前記支持部３０の位置を調節する必要がある。
【００４０】
このために、横方向ガイド溝３４を、前記空間部２０の底面に横方向に形成することができ、そして、縦方向ガイド溝３５を、縦方向に形成することができる。これにより、前記第１、第２側面支持部３１、３２は、横方向ガイド溝３４に沿ってそれぞれ端末機５０の幅に合わせて左右方向へ移動できる一方、前記背面支持部３３は、縦方向ガイド溝３５に沿って端末機５０の厚みに合わせながら前後方向へ移動できる。
【００４１】
上部に屈曲面、好ましくは突起部及び凹み部で構成された表面、を有するビーム状の横方向ガイドレール３６及び縦方向ガイドレール３７が、それぞれ、前記横方向ガイド溝３４及び縦方向ガイド溝３５内に挿入されている。横方向ガイドレール３６及び縦方向ガイドレール３７は、それぞれ、支持部３１〜３３の下端に貫通挿入されていて、該支持部３１〜３３がガイドレール３６、３７に沿って移動する時、該ガイドレール３６、３７の屈曲面、好ましくは突起部及び凹み部で構成された表面、に支持部３１〜３３の下端が引っかかる。これにより、携帯用端末機の振動を防止できる。
【００４２】
また、多様なサイズの端末機５０を効果的に支持するために、側面支持部３１、３２の端末機を支持する部分及び／又は把持する部分は、上下移動可能であるのが望ましい。前記支持する部分及び／又は把持する部分は、端末機５０の特性に応じて端末機５０の中間や上端部分などの位置に形成されうる。
【００４３】
前記背面支持部３３の中間部には、ヒンジ部３３ａが形成されている。使用時には、該ヒンジ部３３ａは、端末機５０の高さ方向に起立させられる一方、使用しないときには、前面方向に折り曲げられた後、端末機５０がその上に置かれる。前記ヒンジ部３３ａは、空間部２０の底面に対して９０°回転して垂直に起立するように構成されていて、それ以上、後方へ回転することなく端末機５０の背面を支持する。
【００４４】
また、背面支持部３３’は、空間部の後方中央に設けずに、各側面支持部３１、３２に対して端末機の厚さ方向に調節可能に結合されることも可能である。例えば、図５に示すように、各側面支持部３１、３２の外側面に水平ガイド溝３５’及び水平ガイドレール３７’を設け、これに対応するように背面支持部３３’を水平ガイド溝３５’に結合して、各側面支持部３１、３２と背面支持部３３’とを一体にすることができる。この際、背面支持部３３’は、各側面支持部３１、３２と同じく‘Ｌ’字形状に形成されるが、端末機の幅を支持できるように各側面支持部３１、３２に対向して配設される。したがって、側面支持部３１、３２と背面支持部３３’とは、全体的に‘コ’字状の結合構造になるため、端末機の幅に合わせて調節することが可能となる。
【００４５】
図示しないが、前記支持部３０を、携帯用端末機５０の左右の何れか一側のみを支持する側面支持部によって構成し、他の側を空間部２０の壁部により支えることができる。そして、左右の側面支持部３１、３２の場合にも、前面と側面の二面でない、側面のみを密着させて支持することが可能である。
【００４６】
背面支持部３３を備えていない場合、又は、空間部２０を形成する壁部が背面支持部３３を形成する場合、側面支持部３１、３２により支持される端末機５０を支持部３０と共に後方へスライド移動させて、端末機５０の背面が密着支持されるように構成することができる。
【００４７】
前記開口部２１を開閉させるため、蓋部４０を備えることができる。この蓋部４０として、木、合成樹脂、アルミニウム又はステンレススチールなどの金属材を用いるのが好ましいが、合成樹脂材を使用するのがより好ましい。
【００４８】
この蓋部４０が開口部２１を開閉する場合、ヒンジ連結による回動方式など従来の全ての開閉方式が使用可能であるが、蓋部４０の先端をダッシュボード１０ａの前面開口部２１の一側から他側にスライド移動させることにより開口部２１を閉鎖させるスライドドア式のものがより好ましい。蓋部４０の先端一側には、取っ手部４６が設けられている。
【００４９】
ここで、前記蓋部４０は、一定の間隔で多数個のボードがヒンジ連結されており、開口部２１が屈曲面をなす場合にも蓋部４０が屈曲面に沿ってスムーズにスライド移動できるようにするのが好ましい。
【００５０】
また、図示しないが、前記蓋部４０は、電動により前後水平方向又は上下方向に開閉できるようにしたり、ワンタッチ方式でヒンジ軸から弾性により回動して上下又は左右に開かれるようにすることができる。その他、多様な方式又は形状の適用が可能である。
【００５１】
また、前記蓋部は、必要に応じて設けられていない場合もある。
【００５２】
本発明の一実施例による携帯用端末機収納構造を有するダッシュボード１０ａの使用方法は、次のとおりである。蓋部４０を備えていない実施例についても、次の説明により充分明らかになるだろう。
【００５３】
使用者の前面ダッシュボードに形成された空間部２０が蓋部４０により閉鎖された状態において、使用者は蓋部４０の取っ手部４６を上方に押し上げて空間部２０の開口部２１を開放する。
【００５４】
それから、端末機５０の電源供給用ジャック５１を空間部２０の後面に設けられた接続端子２２に結合し、配線を整理するために電源コード５２を配線収容溝２３内に収める。
【００５５】
次いで、前記携帯用端末機５０の下端を前記空間部２０の底面に搭載し、第１、第２側面支持部３１、３２を端末機５０の幅に合わせて横方向ガイドレール３６上で左右移動させ、端末機５０の両側面下部を支持するようにする。これにより、端末機５０の左右方向への振れを防止できる。ここで、第１、第２側面支持部３１、３２は折曲片であるので、端末機５０の前面下部も第１、第２側面支持部３１、３２により支持される。
【００５６】
同様に、背面支持部３３を端末機５０の厚みに合わせて縦方向ガイドレール３７上で前後移動させ、端末機５０の背面下部を支持する。端末機５０の前面は第１、第２側面支持部３１、３２により支持されているので、端末機５０の前後方向への振れを防止できる。これにより、端末機５０を使用するための準備ができる。
【００５７】
一方、端末機５０の使用後には、端末機５０の電源供給用ジャック５１を接続端子２２から外し、第１、第２側面支持部３１、３２を両側に移動させ、携帯用端末機５０を空間部２０から取り出して背面支持部３３を前面に折り曲げた後に端末機５０を横たえて保管し、蓋部４０を閉めることにより開口部２１を閉鎖する。
【００５８】
図６は、本発明の他の一実施例として、携帯用端末機がダッシュボードに密着するように装着された状態図である。ここでは、前記図面の符号と同じ符号は、同じ機能を奏する同一部材を表す。
【００５９】
本発明の他の一実施例による携帯用端末機収納構造が設けられたダッシュボード１０ｂは、前記図１の実施例と類似しているが、携帯用端末機の下端及び第１、第２側面支持部３１、３２が取り付けられる部分を含む空間部２０の底板２０’が後方にスライド移動され、携帯用端末機の背面がダッシュボードに密着される点において異なる。
【００６０】
さらに、携帯用端末機の下端及び第１、第２側面支持部３１、３２が取り付けられる部分を含む空間部２０の底板２０’が後方にスライド移動されることにより、携帯用端末機の背面を背面支持部３３に支持することができる。
【００６１】
本発明の他の実施例による携帯用端末機収納構造を有するダッシュボード１０ｂは、前記最初の実施例と類似しているが、開口部２１がダッシュボード１０ｂの屈曲形状に応じて屈曲面を形成することができ、且つ、装着された携帯用端末機５０からアンテナ５３を容易に延ばすことができる点において異なる。
【００６２】
図７は、本発明のさらに他の一実施例として、ダッシュボードの空間部からベースプレートがスライド移動して引き出された態様を示した図であり、図８は、図７のベースプレートに対して回転プレートが回転する態様を示した図である。ここでは、前記図面の図面符号と同じ符号は、同じ機能を奏する部材を表す。
【００６３】
本発明のさらに他の一実施例による携帯用端末機収納構造を有するダッシュボード１０ｃは、前記図１の実施例と類似しているが、空間部２０の両側面に形成されるスライドバー２７と、該スライドバー２７が挿入されるガイド溝２７ａが両側面に形成されるベースプレート２８と、該ベースプレート２８の上側面に結合し、携帯用端末機５０の下端が取り付けられる回転プレート２９とをさらに包含し、横方向ガイド溝３４及び縦方向ガイド溝３５が回転プレート２９の上側面に形成されている点において異なる。
【００６４】
前記ベースプレート２８の上側面には、歯状の回転溝２８ａが形成され、前記回転プレート２９の底面には、前記回転溝２８ａと噛み合う回転部２９ａが、回転プレート２９の下面で延びるように形成されている。前記回転プレート２９の回転部２９ａがベースプレート２８の回転溝２８ａと噛み合うため、回転プレート２９がベースプレート２８に対して、所定の傾斜角で回転する。
【００６５】
したがって、使用者は、蓋部４０を押し上げて開口部２１を開放した後、ベースプレート２８を空間部２０から前方にスライド移動させ、ダッシュボード１０ｃの前面から引き出す。前記回転プレート２９は、携帯用端末機５０を使用しやすいように、所定の角度に回転可能である。この場合、装着された携帯用端末機５０からアンテナ５３を容易に延ばすことができる。
【００６６】
一方、端末機５０の使用後、ベースプレート２８は空間部２０内にスライド移動され、次いで開口部２１が閉じられる。
【００６７】
図９は、本発明のさらに他の一実施例として、携帯用端末機が上部に装着されているダッシュボードを示した斜視図であり、図１０は、図９のダッシュボードに携帯用端末機が装着される前の状態を示す図であり、図１１は、図９のダッシュボードに携帯用端末機を横にして保管する態様を示す図であり、図１２は、図９のダッシュボード内で携帯用端末機を使用した後の状態を示す図である。ここでは、前記図面の図面符号と同じ符号は、同じ機能を奏する部材を表す。
【００６８】
本発明のさらに他の一実施例による携帯用端末機収納構造を有するダッシュボード１０ｄは、前記図１の実施例と類似しているが、空間部２０が車両の上部ダッシュボードに形成されている点、接続端子２２と配線収容溝２３が空間部２０の底面に形成されている点、空間部２０の上部に開口部２１が形成されている点、において異なる。
【００６９】
前記端末機５０が前記空間部２０の底部に取り付けられると、該携帯用端末機５０は開口部２１の上方へ突出し、該端末機５０の前面が使用者に露出される。したがって、上述のように取り付けられた携帯用端末機５０からアンテナ５３を容易に延ばすことができ、前記蓋部４０を左右方向にスライド移動すると前記開口部２１が開閉される。
【００７０】
本発明が、本発明の意図や本質的な特徴から外れない範囲において様々な形態で実施されても、上述した実施例は、特に明記しない限り、上述したあらゆる記述の詳細部分によっては制限されない。むしろ、本発明は、添付の特許請求の範囲において定義されているように、その意図や範囲内において広く解釈されなければならない。したがって、特許請求の範囲内、又は該特許請求の範囲と同等の範囲内における全ての変更や修正は、添付した特許請求の範囲によって受け入れられる予定である。
【符号の説明】
【００７１】
１０ａ〜１０ｄ  携帯用端末機収納構造を有するダッシュボード
２０  空間部
２１  開口部
２２  接続端子
２３  配線収容溝
２７  スライドバー
２７ａ  ガイド溝
２８  ベースプレート
２８ａ  回転溝
２９    回転プレート
２９ａ  回転部
３０    支持部
３１    第１側面支持部
３２    第２側面支持部
３３    背面支持部
３３ａ  ヒンジ部
３４    横方向ガイド溝
３５    縦方向ガイド溝
３６    横方向ガイドレール
３７    縦方向ガイドレール
４０    蓋部
４６    取っ手部
５０    携帯用端末機
５１    電源供給用ジャック
５２    電源コード
５３    アンテナ
【図１】
2010522119.tif 000003
【図２】
2010522119.tif 000004
【図３】
2010522119.tif 000005
【図４】
2010522119.tif 000006
【図５】
2010522119.tif 000007
【図６】
2010522119.tif 000008
【図７】
2010522119.tif 000009
【図８】
2010522119.tif 000010
【図９】
2010522119.tif 000011
【図１０】
2010522119.tif 000012
【図１１】
2010522119.tif 000013
【図１２】
2010522119.tif 000014
【手続補正書】
【提出日】平成20年8月13日(2008.8.13)
【手続補正１】
【補正対象書類名】図面
【補正対象項目名】全図
【補正方法】変更
【補正の内容】
【図１】
2010522119.tif 000015
【図２】
2010522119.tif 000016
【図３】
2010522119.tif 000017
【図４】
2010522119.tif 000018
【図５】
2010522119.tif 000019
【図６】
2010522119.tif 000020
【図７】
2010522119.tif 000021
【図８】
2010522119.tif 000022
【図９】
2010522119.tif 000023
【図１０】
2010522119.tif 000024
【図１１】
2010522119.tif 000025
【図１２】
2010522119.tif 000026
【国際調査報告】
2010522119.tif 000027
2010522119.tif 000028